【事件の表示】
　特願２００６−１１０３１８「液晶表示装置」拒絶査定不服審判事件〔平成１９年１１月　１日出願公開、特開２００７−２８６１３４〕について、次のとおり審決する。
【結　論】
　本件審判の請求は、成り立たない。
【理　由】
第１　手続の経緯 
　本願は、平成１８年４月１２日の出願であって、平成２０年８月４日付け及び同年１１月１７日付けで手続補正がなされたが、同年１２月９日付けで同年１１月１７日付け手続補正が却下されるとともに同日付けで拒絶査定がなされ、これに対し、平成２１年１月１５日に拒絶査定不服審判が請求されるとともに、同年２月９日付けで手続補正がなされたものである。
　
　
第２　平成２１年２月９日付け手続補正についての補正却下の決定
　
［補正却下の決定の結論］ 
　平成２１年２月９日付けの手続補正を却下する。 
　
［理由］ 
１．補正の内容 
　平成２１年２月９日付けの手続補正（以下「本件補正」という。）は、補正前の請求項１を以下のとおりの請求項１に補正することを含むものである。
「絶縁基板上に複数本のソース信号線と複数本のゲート信号線とが直交して配線され、かつ、前記ソース信号線と前記ゲート信号線の交差部分に対応して画素が形成されたアレイ基板と、対向基板とを有する液晶表示パネルと、
　前記アレイ基板と対向基板間に挟持された液晶層と、
　前記複数本のソース信号線に映像信号を供給するソースドライバー回路と、
　前記複数本のゲート信号線にゲート信号を供給するゲートドライバー回路と、
　前記対向基板の対向電極に正極性のコモン信号電圧と負極性のコモン信号電圧を１フレーム毎に反転させて印加するコモン信号印加回路と、
　前記液晶表示パネルに配されたバックライトと、
　を具備する液晶表示装置において、
　前記液晶表示パネルに対し、前記１フレーム内に黒挿入期間、映像書込み期間、映像保持期間を順番に実現するコントロール回路と、
　前記バックライトを前記黒挿入期間と前記映像書込み期間はオフさせ、前記バックライトを前記映像保持期間はオンさせるバックライトドライブ回路と、
　前記黒挿入期間に印加される黒挿入電圧の絶対値を、前記映像書込み期間の黒色を表示するのに相当する映像信号電圧の絶対値よりも大きな値に設定する黒挿入電圧印加手段と、
　を有し、
　第１の期間と第２の期間が１フレーム毎に繰り返され、
　前記第１の期間には前記正極性のコモン信号電圧が印加され、前記第２の期間には前記負極性のコモン信号電圧が印加され、
　前記正極性のコモン信号電圧は、第１の正極性のコモン信号電圧と前記第１の正極性のコモン電圧よりも小さい第２の正極性のコモン信号電圧があり、前記負極性のコモン信号電圧は、第１の負極性のコモン信号電圧と前記第１の負極性のコモン信号電圧より小さい第２の負極性のコモン信号電圧があり、
　前記第１の期間の黒挿入期間に、前記第１の正極性のコモン電圧が印加され、
　前記第１の期間の映像書込み期間に、前記第２の正極性のコモン電圧が印加され、
　前記第２の期間の黒挿入期間に、前記第１の負極性のコモン電圧が印加され、
　前記第２の期間の映像書込み期間に、前記第２の負極性のコモン電圧が印加され、
　前記黒挿入期間には、前記黒挿入電圧を前記液晶表示装置の画素の液晶層に順次印加し、
　前記映像書込期間には、映像信号電圧を前記液晶表示装置の画素の液晶層に順次印加し、
　前記映像保持期間には、前記画素の液晶層に印加された電圧を保持する
　ことを特徴とする液晶表示装置。」
　
２．補正の目的
　請求項１に係る上記補正は、補正前の請求項１の「前記対向基板の対向電極にコモン信号電圧の極性を一定周期毎に反転させて印加するコモン信号印加回路」を「前記対向基板の対向電極に正極性のコモン信号電圧と負極性のコモン信号電圧を１フレーム毎に反転させて印加するコモン信号印加回路」に限定するとともに、補正前の請求項１を「第１の期間と第２の期間が１フレーム毎に繰り返され、前記第１の期間には前記正極性のコモン信号電圧が印加され、前記第２の期間には前記負極性のコモン信号電圧が印加され、前記正極性のコモン信号電圧は、第１の正極性のコモン信号電圧と前記第１の正極性のコモン電圧よりも小さい第２の正極性のコモン信号電圧があり、前記負極性のコモン信号電圧は、第１の負極性のコモン信号電圧と前記第１の負極性のコモン信号電圧より小さい第２の負極性のコモン信号電圧があり、前記第１の期間の黒挿入期間に、前記第１の正極性のコモン電圧が印加され、前記第１の期間の映像書込み期間に、前記第２の正極性のコモン電圧が印加され、前記第２の期間の黒挿入期間に、前記第１の負極性のコモン電圧が印加され、前記第２の期間の映像書込み期間に、前記第２の負極性のコモン電圧が印加され」るものに限定するものであるので、平成１８年法律第５５号改正附則第３条第１項によりなお従前の例によるとされる同法による改正前の特許法第１７条の２第４項第２号の特許請求の範囲の減縮を目的とするものである。
　
３．独立特許要件
　本件補正後の請求項１に記載された発明（以下「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について以下検討する。 
　
（１）引用例
ア　原査定の拒絶理由において引用され、本願の出願前に頒布された刊行物である特開２００２−２０２４９１号公報（以下「引用例１」という。）には下記の記載がある。
　
（ア）「【００１５】
【発明の実施の形態】以下、本発明の実施の形態について図を参照しながら説明する。ただし、ＯＣＢ液晶はベンド配向に転移しているとし、電圧保持手段はＴＦＴ（Ｔｈｉｎ  Ｆｉｌｍ  Ｔｒａｎｓｉｓｔｏｒ：薄膜トランジスタ）であるとする。また、文中の添え字ｘ，ｙはそれぞれ１≦ｘ≦ｎ（ｎ：液晶表示装置の行数），１≦ｙ≦ｍ（ｍ：液晶表示装置の列数）の値を取るものとする。
【００１６】（実施の形態１）図１は本発明の第１の実施形態に係る液晶表示装置の構成図であり、駆動制御部１０１と、ゲートドライバ１０２と、ソースドライバ１０３と、バックライト輝度制御部１０４とバックライト１０５と、対向電圧制御部１０６と、画素領域１を備えている。また、画素領域１は、ＴＦＴ１０と、液晶層２０と、蓄積容量３０から構成されている。ＴＦＴ１０のゲート電極、ソース電極はそれぞれ、走査配線Ｇ１〜Ｇｎ、信号配線Ｓ１〜Ｓｍと接続されており、ドレイン電極はその延長である画素電極と対向電極Ｃｎｔ１〜Ｃｎｔｎとの間に液晶層２０を挟持しているほか、その一部が前段のゲート電極と絶縁膜を介して蓄積容量３０（以下、前段ゲート型）を形成している。なお、１行目にある画素の蓄積容量を形成するために、ダミー走査配線Ｇ０が形成されている。
【００１７】図３はフィールドシーケンシャルカラー表示を行なう液晶表示装置の一般的な駆動方法を説明するタイミング図であり、Ｖｇｘはゲートドライバ１０２より供給される走査配線Ｇｘに供給される電位波形で、通常ＴＦＴのＯｎ電圧ＶｇｏｎとＯｆｆ電圧Ｖｇｏｆｆの２値である。Ｖｃｎｔｘは対向電圧制御部より供給される対向電極Ｃｎｔｘに与えられる電位で、Ｖｄｘは画素電極の電位であり、ＴＦＴがＯｎ状態の時にソースドライバ１０３より信号配線Ｓｙに供給されている電位が充電される。ＶｃｎｔｘとＶｄｘの電位差が液晶層に印加されることで、液晶分子の配向状態が変化しそれに伴い液晶層の透過率が変化する。一般にＶｄｘは表示映像に依存した複雑な波形となるが、簡略化のため逆転移が起こり得る一定電圧が印加されているとする。さらに、ＶｄはＴＦＴのスイッチングに伴うＶｇｘの変化によって、突き抜けと呼ばれる変化が起きるが省略した。
【００１８】フィールドシーケンシャルカラー表示では、１フレーム（Ｔｆ）を３つのサブフレーム（色フレーム）に分割している。第１のサブフレーム期間は、赤色の映像信号をＧ１からＧｎまでの走査線上にある画素に書込むＲ書込期間、次いで最終行の液晶が応答するのを待つ液晶応答期間、赤色のバックライトを点灯するＲ点灯期間からなっている。第２のサブフレーム期間は緑色、第３のサブフレーム期間は青色であるが、いずれの期間も同様に、書込期間、液晶応答期間、点灯期間の３つの期間からなっている。
【００１９】各サブフレームにおいて、信号電圧は上下方向の走査に従って画素に書込まれていく。また、各画素においては信号電圧書込みの後しばらくの間は液晶の透過率は過渡的な状態にある。従って、信号の走査中、あるいは液晶が不完全な状態でバックライトを点灯しておくと上下方向に輝度ムラが生じる。そこで、書込み期間はバックライトを消灯しておき、最終行の液晶の応答が完了した後か、あるいは少なくともある程度応答した後に、バックライトを点灯する。
【００２０】次に、図２を参照して本発明の第１の実施形態における液晶表示装置の駆動方法を説明する。図中で図３と同一構成であるものは同記号を付し説明を省略する。
【００２１】本実施形態の液晶表示装置の駆動方法は、画素電極が充電されてから次の充電が起きるまでの電圧保持期間中に、一定の重畳期間（逆転移防止期間）Ｔａｒを設け、Ｔａｒ中にＶｇｘを重畳電圧（逆転移防止電圧）Ｖａｒだけ変化させ、一時的に蓄積容量３０を介してＶｄｘに結合電圧を重畳するものである。
【００２２】次に、Ｖｄｘの変化と逆転移防止効果について図４を参照して説明する。
【００２３】図４（ａ）は図１に示した液晶表示装置の１画素領域を示したものである。同一構成のものは同記号を付した。この図において、走査配線Ｇｘ−１の電位を図４（ｂ）で示したようにＶａｒだけ変化させたときのＶｄｘの変化ΔＶｄは、
（数１）          ΔＶｄ＝Ｖａｒ×Ｃst／（Ｃlc＋Ｃgd＋Ｃst）
となる。ここで、Ｃｌｃは液晶層２０の容量、Ｃｓｔは蓄積容量３０の容量、ＣｇｄはＴＦＴ１０のゲート・ドレイン間寄生容量である。図４（ｃ）はＯＣＢ液晶の印加電圧−透過率曲線を示しており、Ｖｂ、Ｖｗはそれぞれ液晶層が黒表示、白表示となる電圧で、Ｖｔは一定期間以上これ以上の電圧が印加されないとＯＣＢ液晶が逆転移を起こす閾値電圧である。逆に言えば、Ｖｔ以上の電圧を液晶層に印加することで、ＯＣＢ液晶の逆転移を防止することができる。この図では、ＯＣＢ液晶がノーマリホワイト表示としたが、ノーマリブラック表示としてもよく、そのときには、図４（ｄ）に示したようにＶｗとＶｂの関係が逆転する。このことは、実施形態２以降でも同様である。Ｒ１は映像信号により画素電圧が取りうる範囲であって、Ｖｔ以下である範囲を含んでいる。画素電圧に｜Ｖｔ−Ｖｗ｜より大きいΔＶｄを一定期間重畳することで、重畳期間に画素電圧が取りうる範囲はＲ２へと移動し、逆転移を防止することができる。このとき、Ｒ２が黒電圧Ｖｂ以上の電圧範囲を含むことが望ましい。
【００２４】以上説明したように、本実施形態の液晶表示装置の駆動方法によると、電圧保持期間中に液晶印加電圧を変化することによって、ＯＣＢ液晶の逆転移を防止することができる。
【００２５】一般に、フィールド・シーケンシャル型のカラー表示では、赤（Ｒ）、緑（Ｇ）、青（Ｂ）の３つの色フレームを継時的に表示することによりカラー表示を行なっている。各色フレームでは、それに対応した色のバックライトが点灯されているが、重畳電圧と同期してこのバックライトを消灯する、あるいはその輝度を低下させておくのが望ましい。その理由を以下に述べる。図４の（ｃ）あるいは（ｄ）に示される様に、重畳期間においては画素電圧がＲ２の範囲にある。このため、各画素の透過率は所望の透過率からずれる場合がある。特に黒表示を行っている画素では、画素電圧が黒状態からずれると、コントラストが低下してしまう。重畳電圧と同期してこのバックライトを消灯する、あるいはその輝度を低下させておくと、このような現象が防止される。バックライトの消灯あるいは輝度低下は重畳期間の開始と同時に開始してもよいが、バックライトの消灯あるいは輝度低下を重畳期間よりやや早めに行なえば、上記の弊害が確実に取り除けるのでさらに望ましい。
【００２６】なお、図２においてＶｇｘの変化Ｖａｒは正電圧方向、負電圧方向で同一としたが、画素設計や電圧設定により等しくなくともよい。
【００２７】さらに、本実施形態では前段ゲート型の蓄積容量としたが、画素電極と後段のゲートによる蓄積容量（以下、後段ゲート型）としても本駆動方法によってＯＣＢ型液晶の逆転移を防止できる。
【００２８】また、本実施形態においては全走査線に重畳電圧を一括して印加し、これを画素電極に重畳させているが、全配線をいくつかのブロックに分けて、別々のタイミングで重畳させてもよい。例えば、走査配線を偶数と奇数の２つのブロックに分けて、タイミングをずらして重畳電圧を加えてもよい。本実施形態の液晶表示装置では走査配線上に蓄積容量を形成しているので、全走査線に一括して重畳電圧を加えると、各画素は蓄積容量を通じて電圧重畳されるとともに、画素自らが接続されたＴＦＴからゲート−ドレイン間容量Ｃｇｄを通じた結合電圧が重畳される。このため、結合電圧の極性の選び方によっては電圧重畳の効果が減ずることがある。走査配線を偶数と奇数の２つのブロックに分けて別々に電圧重畳すれば、このような現象を防止することができる。
【００２９】複数の走査配線に重畳電圧を印加する場合、画素電極の電圧極性などによっては、対向電極への電圧カップリングの影響を取り除くために、すべてが同極性の重畳電圧ではない方がよい場合が多く、その場合には大凡正負が半数ずつであることが望ましい。
【００３０】なお、同様の逆転移防止効果を得るためには、図２においてＴarの間に電圧重畳する代わりに、ＴＦＴをオン状態としてＶｔ以上の電圧を画素に書込むことも考えられる。しかしながら、この方式では、画面を走査して電圧書込みを行なう場合には走査時間の分だけバックライトの点灯時間が短くなって表示が暗くなる。また、全ＴＦＴをオン状態にして電圧書込みを行なう場合には、縦方向の全画素を一度に充電することになるので、より充電能力の高いソースドライバが必要となり、ドライバサイズの増大に伴う額縁部分の面積増や、コストアップを招く。
【００３１】本実施形態の方式によれば、ＴＦＴはオフ状態であるため、通常の信号書込み以上の能力がソースドライバに要求されることはない。また、複数のブロックに分けて電圧重畳を行う場合でも数百本の走査時間に比べると短い時間で逆転移防止効果を上げることができる。
・・・
【００５１】（実施の形態４）図８を用いて本発明の第４の実施形態による液晶表示装置の駆動方法について説明する。本実施形態に係る液晶表示装置の構成は第１の実施形態と同一であるが、対向電圧制御部１０６は駆動制御部１０１が供給するクロック信号を受けることができ、クロック信号に同期して対向電極の電圧を変化できる。
【００５２】本実施形態による液晶表示装置の駆動方法は、フレーム期間Ｔｆ内に一定の重畳期間を設け、重畳期間において蓄積容量３０を介してＶｇｘに与えた変化Ｖａｒ１を画素電極に重畳すると共に、重畳期間と同期して対向電圧ＶｃｎｔｘをＶａｒ２だけ変化させるものである。このとき、液晶層に印加される電圧は、数１で与えられるΔＶｄと対向電圧の変化Ｖａｒ２を加えた分だけ変化し、この変化分が図４の｜Ｖｔ−Ｖｗ｜より大きければ、ＯＣＢ液晶の逆転移を防止することができる。また、本実施形態の駆動方法によると、重畳期間の液晶層に印加される電圧を実施形態１および２よりも高くすることができることから、重畳期間を短縮できる効果がある。
【００５３】上記の各実施形態と同様に、本実施形態においても、重畳電圧と同期してこのバックライトを消灯する、あるいはその輝度を低下させておくのが望ましい。バックライトの消灯あるいは輝度低下は重畳期間の開始と同時に開始してもよいが、第１の実施形態と同様の理由で、バックライトの消灯あるいは輝度低下を重畳期間よりやや早めに行なえばさらに望ましい結果が得られる。
【００５４】なお、蓄積容量は前段ゲート型に限らず後段ゲート型でもよい。また、Ｖｇｘの変化量Ｖａｒ１は正電圧、負電圧方向で同一である必要はない。
【００５５】同時に変化するＶgxの極性はすべての走査配線で同一である必要はない。いくつかの走査配線でＶｇｘの変化する極性を異ならせれば、Ｖｇｘの変化によって対向電極等に生じる電圧歪をキャンセルさせることができる。その時は大凡正負が半数ずつであることが望ましい。
【００５６】但し、本実施形態においては、Ｖｇｘへの電圧重畳に同期して対向電圧Ｖｃｎｔｘをも変化させており、その効果を有効にするためにはＶｇｘの変化と対向電圧の変化の極性（変化の方向）が逆である必要がある。このため、いくつかの走査配線でＶｇｘの変化する極性を異ならせる場合には、その走査配線に対応するように対向電極を分割して、対向電極にも極性の異なる電圧変化を与えるのが望ましい。例えば、ＴＮ型液晶などの場合には、対向基板上の対向電極を走査線に対応するようにストライプ状に分割し、それぞれの対向電極を独立に電圧制御するか、あるいは所望の変化の極性に応じてブロック分けをして電圧制御すればよい。ＩＰＳ型液晶など、それぞれの走査配線に対応した対向電極が既に形成されている場合には、既に対向電極が走査線に対応して分割されているので、この方式に好適である。」
　
（イ）上記（ア）の記載を踏まえて、図８をみると、実施の形態４の駆動方法は、「１フレーム（Ｔｆ）が３つのサブフレーム（色フレーム）に分割され、第１のサブフレーム期間は、重畳期間、赤色の映像信号をＧ１からＧｎまでの走査線上にある画素に書込むＲ書込期間、次いで最終行の液晶が応答するのを待つ液晶応答期間、赤色のバックライトを点灯するＲ点灯期間からなり、第２のサブフレーム期間は緑色、第３のサブフレーム期間は青色であるが、いずれの期間も同様に、重畳期間、書込期間、液晶応答期間、及び点灯期間からなっている」ことが見てとれる。
　
（ウ）上記（ア）の記載を踏まえて、図８をみると、実施の形態４の駆動方法は、「対向電圧Ｖｃｎｔｘが、各色フレームの重畳期間において、書込期間、液晶応答期間、及び点灯期間で一定である電圧と比較して、Ｖａｒ２だけ、１フレーム毎に正方向に増加ないし負の方向に減少する」ことが見てとれる。
　　
（エ）上記（ア）の記載を踏まえて、図９をみると、「駆動制御部１０１」は、「ゲートドライバ１０２」、「ソースドライバ１０３」及び「対向電圧制御部１０６」と接続され、「信号配線Ｓ１〜Ｓｍ」と「走査配線Ｇ１〜Ｇｎ」とは直交していることが見てとれる。
　
　上記（ア）〜（エ）に記載される事項から、引用例１には、以下の発明（以下「引用発明」という。）が記載されているものと認められる。
「駆動制御部１０１と、ゲートドライバ１０２と、ソースドライバ１０３と、バックライト輝度制御部１０４とバックライト１０５と、対向電圧制御部１０６と、画素領域１を備え、駆動制御部１０１は、ゲートドライバ１０２、ソースドライバ１０３及び対向電圧制御部１０６と接続され、画素領域１は、ＴＦＴ１０と、液晶層２０と、蓄積容量３０から構成され、ＴＦＴ１０のゲート電極、ソース電極はそれぞれ、直交している走査配線Ｇ１〜Ｇｎ、信号配線Ｓ１〜Ｓｍと接続されており、ドレイン電極はその延長である画素電極と対向電極Ｃｎｔ１〜Ｃｎｔｎとの間に液晶層２０を挟持しているほか、その一部が前段のゲート電極と絶縁膜を介して蓄積容量３０を形成し、対向電圧制御部１０６は駆動制御部１０１が供給するクロック信号を受けることができ、クロック信号に同期して対向電極の電圧が変化できる、液晶表示装置であって、その駆動方法が、１フレーム（Ｔｆ）を３つのサブフレーム（色フレーム）に分割し、第１のサブフレーム期間は、重畳期間、赤色の映像信号をＧ１からＧｎまでの走査線上にある画素に書込むＲ書込期間、次いで最終行の液晶が応答するのを待つ液晶応答期間、赤色のバックライトを点灯するＲ点灯期間からなり、第２のサブフレーム期間は緑色、第３のサブフレーム期間は青色であるが、いずれの期間も同様に、重畳期間、書込期間、液晶応答期間、及び点灯期間からなっており、前記重畳期間においては、ゲートドライバ１０２より供給される走査配線Ｇｘ−１に供給される電位に変化Ｖａｒ１を与え、蓄積容量３０を介して、画素電極の電位Ｖｄｘに、ΔＶｄを一定期間重畳すると共に、該重畳期間と同期して対向電圧Ｖｃｎｔｘを、各色フレームの重畳期間において、書込期間、液晶応答期間、及び点灯期間で一定である電圧と比較して、Ｖａｒ２だけ、１フレーム毎に正方向に増加ないし負の方向に減少させることで、液晶層に印加される電圧が、ΔＶｄと対向電圧の変化Ｖａｒ２を加えた分だけ変化し、液晶層に、一定期間以上これ以上の電圧が印加されないとＯＣＢ液晶が逆転移を起こす閾値電圧Ｖｔ以上で、ＯＣＢ液晶がノーマリホワイト表示としたときには、液晶層に黒電圧Ｖｂ以上の電圧範囲が印加され、各サブフレームの重畳期間、書込み期間及び液晶応答期間において、バックライトは消灯し、最終行の液晶の応答を待つ液晶応答期間が完了した後か、あるいは少なくともある程度応答した後に、バックライトを点灯して、各色フレームを表示し、カラー表示を行なう液晶表示装置。」
　
イ　原査定の拒絶理由において引用され、本願の出願前に頒布された刊行物である特開平９−１３８４２１号公報（以下「引用例２」という。）には下記の記載がある。
　
（ア）「【００１９】
【発明が解決しようとする課題】上述したようにツイストネマチック以外の液晶を用いた場合では、液晶に表示用の信号を印加する前に特殊な駆動、一般には、表示のための信号電圧レベルよりも高いレベルの電圧をデータドライバから供給する必要があった。このため、データドライバを構成するトランジスタの耐圧をあげる必要を生じ、このトランジスタのサイズ拡大によるデータドライバの面積増大、さらには液晶画像表示画面の周辺部いわゆる額縁の増大またコストの上昇を招来していた。」
　
（イ）「【００３１】本発明のアクティブマトリクス型液晶画像表示装置は、前記データ信号配線への表示用データ信号の供給の初期、最大でも１／２水平期間以内の期間、前記対向電極の電位を正規とし、その後、対向電極の電位をデータ信号配線のデータ信号の極性における液晶に電圧を印加しない方向の電位レベルに近付ける構成によって前述した課題を解決している。」
　
（ウ）「【００４１】次に液晶のもう一方の電極つまり画素電極に印加されるビデオ信号の状態について図４を参照して説明する。図４ａに図３ｄのコモン信号ＣＯＭの波形を示している。図４ｂにデータドライバ９からデータ信号配線ｙ１上に印加されるビデオ信号の波形を示し、図４ｃに走査ドライバ８から走査信号配線ｘ１〜ｘｎ上に印加される走査信号ｘ１〜ｘｎ（説明の理解のため走査信号配線の符号と同一としている。）の波形を示している。ここで、ビデオ信号はデータドライバ９から共給される信号を示すが、データドライバ９のサンプルホールドの方法をこのデータドライバ９内で行うか、液晶表示パネルＡ内で行うかでコモン信号ＣＯＭとビデオ信号との極性は逆になるが、ここでは分かりやすく、液晶表示パネルＡ内でホールドする信号の例を示す。図４中の期間は図３中のと同様な期間を示している。期間は表示電圧Ｖｏｎ（＝１／２・ＶＨ）レベルより高い電圧である第１予備電圧Ｖｐ１（＝ＶＨ）の期間であり、期間は液晶に印加される電圧が表示電圧Ｖｏｎよりは低い電圧である第２予備電圧Ｖｐ２（＝０）の期間である。ここでは、第２予備電圧Ｖｐ２を０レベルにしている。
・・・
【００４６】ここで上記した液晶セルへの印加電圧は、画素電極の電位とそれと対向する対向電極の電位（コモン電位）との電位差になるので、期間の画素電極側のビデオ信号は、所望の第１予備電圧Ｖｐ１のときのコモン信号電位ＶＨを引いた値になる。これを説明の都合でビデオＨとする。また、期間は、第２予備電圧Ｖｐ２を０レベルとしているのでビデオ信号は０レベルにする。そこで、第１予備電圧期間は、対向電極に印加されるコモン信号側の電位を充分に高い電圧ＶＨに設定しておけば、反対側の画素電極に印加するビデオＨはその分低い電圧でよいことになる。
【００４７】これより、その電位をデータドライバ９の耐圧以下にすることにより、データドライバ９及び走査ドライバ８の駆動を第１予備電圧Ｖｐ１の印加とは関係なく耐圧電圧以下で行うことができる。期間は表示に影響がない期間であり、図４ｃに示す走査信号ｘ１〜ｘｎのようにその期間の間は一斉に画素トランジスタ１０をＯＮさせることにより全ての走査バスラインｘ１〜ｘｎそれぞれの画素１２を構成する液晶の対向電極側に第１予備電圧Ｖｐ１と第２予備電圧Ｖｐ２とを印加することができる。
【００４８】以上により、データドライバ９と走査ドライバ８それぞれの耐圧を越えることなく、画素１２内の液晶に高電圧を印加させることができるので、液晶を高速応答させての駆動ができるとともにデータドライバ９および走査ドライバ８を低電圧で駆動できる。また、これより画素トランジスタ１０のサイズの縮小化と高速動作化も可能になり、回路の簡潔化を図ることができる。このトランジスタサイズの縮小化は開口率の向上のみならず大型高精細液晶パネルとか超高精細液晶パの設計を容易化するという意味でその波及効果は高い。３端子型アクティブ素子としてのこの画素トランジスタは薄膜トランジスタ（ＴＦＴ）でもバルクトランジスタ（ＭＯＳＦＥＴ）でも構わない。」
　
（エ）　上記（ア）〜（ウ）を踏まえて，図４を見ると、対向電極の電位であるコモン信号ＣＯＭの極性は、データ信号配線に印加されるビデオ信号と反対の極性に設定されることが見てとれる。
　
　上記（ア）〜（エ）に記載される事項から、引用例２には、以下の技術的事項が記載されているものと認められる。
「液晶セルへの印加電圧は、画素電極の電位とそれと対向する対向電極の電位（コモン電位）との電位差になるので、対向電極の電位の極性をデータ信号配線のビデオ信号号の極性と反対の極性に設定すれば、反対側の画素電極に印加する電圧は、低い電圧でよいことになり、データドライバの耐圧を越えることなく、液晶に高電圧を印加させることができ、トランジスタの耐圧をあげるためのトランジスタのサイズ拡大によるデータドライバの面積増大、さらには液晶画像表示画面の周辺部いわゆる額縁の増大またコストの上昇を招来せず、回路の簡潔化を図ることができること。」
　
（２）対比
　
ア　引用発明の「信号配線Ｓ１〜Ｓｍ」、「走査配線Ｇ１〜Ｇｎ」、「画素電極」、「液晶層２０」、「ソースドライバ１０３」、「ゲートドライバ１０２」、「バックライト１０５」、及び「バックライト輝度制御部１０４」は、それぞれ、本願補正発明の「複数本のソース信号線」、「複数本のゲート信号線」、「画素」、「液晶層」、「前記複数本のソース信号線に映像信号を供給するソースドライバー回路」、「前記複数本のゲート信号線にゲート信号を供給するゲートドライバー回路」、「バックライト」、及び「バックライトドライブ回路」に相当する。
　
イ　引用発明の液晶表示装置は、「画素領域１が、ＴＦＴ１０と、液晶層２０と、蓄積容量３０から構成され、ＴＦＴ１０のゲート電極、ソース電極はそれぞれ、直交している走査配線Ｇ１〜Ｇｎ、信号配線Ｓ１〜Ｓｍと接続されており、ドレイン電極はその延長である画素電極と対向電極Ｃｎｔ１〜Ｃｎｔｎとの間に液晶層２０を挟持しているほか、その一部が前段のゲート電極と絶縁膜を介して蓄積容量３０を形成」するものであるので、引用発明の液晶表示装置は、本願補正発明の「絶縁基板上に複数本のソース信号線と複数本のゲート信号線とが直交して配線され、かつ、前記ソース信号線と前記ゲート信号線の交差部分に対応して画素が形成されたアレイ基板と、対向基板とを有する液晶表示パネルと、前記アレイ基板と対向基板間に挟持された液晶層とを具備する」との特定事項を具備する。
　
ウ　引用発明の「対向電極Ｃｎｔ１〜Ｃｎｔｎ」、「対向電圧制御部１０６」及び「対向電圧Ｖｃｎｔ」は、それぞれ、本願補正発明の「対向電極」、「コモン信号印加回路」及び「コモン信号電圧」に相当するとともに、引用発明は、「重畳期間と同期して対向電圧Ｖｃｎｔｘを、各色フレームの重畳期間において、書込期間、液晶応答期間、及び点灯期間で一定である電圧と比較して、Ｖａｒ２だけ、１フレーム毎に正方向に増加ないし負の方向に減少させる」ものであるので、引用発明の「対向電圧制御部１０６」は、本願補正発明の「（前記対向基板の対向電極に正極性のコモン信号電圧と負極性のコモン信号電圧を１フレーム毎に反転させて印加する）コモン信号印加回路」に相当する。
　
エ　引用発明は、「重畳期間においては、ゲートドライバ１０２より供給される走査配線Ｇｘ−１に供給される電位に変化Ｖａｒ１を与え、蓄積容量３０を介して、画素電極の電位Ｖｄｘに、ΔＶｄを一定期間重畳すると共に、該重畳期間と同期して対向電圧Ｖｃｎｔｘを、各色フレームの重畳期間において、書込期間、液晶応答期間、及び点灯期間で一定である電圧と比較して、Ｖａｒ２だけ、１フレーム毎に正方向に増加ないし負の方向に減少させることで、液晶層に印加される電圧が、ΔＶｄと対向電圧の変化Ｖａｒ２を加えた分だけ変化し、液晶層に、一定期間以上これ以上の電圧が印加されないとＯＣＢ液晶が逆転移を起こす閾値電圧Ｖｔ以上で、ＯＣＢ液晶がノーマリホワイト表示としたときには、液晶層に黒電圧Ｖｂ以上の電圧範囲が印加される」ものであるので、引用発明の「重畳期間」は、本願補正発明の「黒挿入期間」に相当する。
　
オ　引用発明は、「その駆動方法が、１フレーム（Ｔｆ）を３つのサブフレーム（色フレーム）に分割し、第１のサブフレーム期間は、重畳期間、赤色の映像信号をＧ１からＧｎまでの走査線上にある画素に書込むＲ書込期間、次いで最終行の液晶が応答するのを待つ液晶応答期間、赤色のバックライトを点灯するＲ点灯期間からなり、第２のサブフレーム期間は緑色、第３のサブフレーム期間は青色であるが、いずれの期間も同様に、重畳期間、書込期間、液晶応答期間、及び点灯期間からなっており」、「各サブフレームの重畳期間、書込み期間及び液晶応答期間において、バックライトは消灯し、最終行の液晶の応答を待つ液晶応答期間が完了した後か、あるいは少なくともある程度応答した後に、バックライトを点灯して、各色フレームを表示し、カラー表示を行なう」ものであるので、引用発明の「点灯期間」は、本願補正発明の「映像保持期間」に相当する。
　
カ　引用発明の液晶表示装置は、「ゲートドライバ１０２、ソースドライバ１０３及び対向電圧制御部１０６と接続される」「駆動制御部１０１」により、「１フレーム（Ｔｆ）を３つのサブフレーム（色フレーム）に分割し、第１のサブフレーム期間は、重畳期間、赤色の映像信号をＧ１からＧｎまでの走査線上にある画素に書込むＲ書込期間、次いで最終行の液晶が応答するのを待つ液晶応答期間、赤色のバックライトを点灯するＲ点灯期間からなり、第２のサブフレーム期間は緑色、第３のサブフレーム期間は青色であるが、いずれの期間も同様に、重畳期間、書込期間、液晶応答期間、及び点灯期間からなる」ように駆動制御されるものであるので、引用発明の「駆動制御部１０１」は、本願補正発明の「前記液晶表示パネルに対し、前記１フレーム内に黒挿入期間、映像書込み期間、映像保持期間を順番に実現するコントロール回路」に相当する。
　
キ　引用発明の「バックライト輝度制御部１０４」は、「各サブフレームの重畳期間、書込み期間及び液晶応答期間において、バックライトは消灯し、最終行の液晶の応答を待つ液晶応答期間が完了した後か、あるいは少なくともある程度応答した後に、バックライトを点灯」するものであるので、引用発明の「バックライト輝度制御部１０４」は、本願補正発明の「前記バックライトを前記黒挿入期間と前記映像書込み期間はオフさせ、前記バックライトを前記映像保持期間はオンさせるバックライトドライブ回路」に相当する。
　
ク　引用発明は、「前記重畳期間においては、ゲートドライバ１０２より供給される走査配線Ｇｘ−１に供給される電位に変化Ｖａｒ１を与え、蓄積容量３０を介して、画素電極の電位Ｖｄｘに、ΔＶｄを一定期間重畳すると共に、該重畳期間と同期して対向電圧Ｖｃｎｔｘを、各色フレームの重畳期間において、書込期間、液晶応答期間、及び点灯期間で一定の電圧と比較して、Ｖａｒ２だけ、１フレーム毎に正方向に増加ないし負の方向に減少させることで、液晶層に印加される電圧が、ΔＶｄと対向電圧の変化Ｖａｒ２を加えた分だけ変化し、液晶層に、一定期間以上これ以上の電圧が印加されないとＯＣＢ液晶が逆転移を起こす閾値電圧Ｖｔ以上で、ＯＣＢ液晶がノーマリホワイト表示としたときには、液晶層に黒電圧Ｖｂ以上の電圧範囲が印加される」ものであるので、引用発明は、本願補正発明の「前記黒挿入期間に印加される黒挿入電圧の絶対値を、前記映像書込み期間の黒色を表示するのに相当する映像信号電圧の絶対値よりも大きな値に設定する黒挿入電圧印加手段」を具備する。
　
ケ　引用発明の「対向電圧Ｖｃｎｔｘ」は、「各色フレームの重畳期間において、書込期間、液晶応答期間、及び点灯期間で一定である電圧と比較して、Ｖａｒ２だけ、１フレーム毎に正方向に増加ないし負の方向に減少するもの」であるので、引用発明と本願補正発明とは、「第１の期間と第２の期間が１フレーム毎に繰り返され、前記第１の期間には前記正極性のコモン信号電圧が印加され、前記第２の期間には前記負極性のコモン信号電圧が印加され、前記第１の期間の黒挿入期間に、前記正極性のコモン電圧が印加され、前記第２の期間の黒挿入期間に、前記負極性のコモン電圧が印加される」点で一致する。
　
コ　引用発明は、「前記重畳期間においては、ゲートドライバ１０２より供給される走査配線Ｇｘ−１に供給される電位に変化Ｖａｒ１を与え、蓄積容量３０を介して、画素電極の電位Ｖｄｘに、ΔＶｄを一定期間重畳すると共に、該重畳期間と同期して対向電圧Ｖｃｎｔｘを、各色フレームの重畳期間において、書込期間、液晶応答期間、及び点灯期間で一定の電圧と比較して、Ｖａｒ２だけ、１フレーム毎に正方向に増加ないし負の方向に減少させるさせることで、液晶層に印加される電圧が、ΔＶｄと対向電圧の変化Ｖａｒ２を加えた分だけ変化し、液晶層に、一定期間以上これ以上の電圧が印加されないとＯＣＢ液晶が逆転移を起こす閾値電圧Ｖｔ以上で、ＯＣＢ液晶がノーマリホワイト表示としたときには、液晶層に黒電圧Ｖｂ以上の電圧範囲が印加される」ものであるので、引用発明と本願補正発明とは、「前記黒挿入期間には、前記黒挿入電圧を前記液晶表示装置の画素の液晶層に印加する」点で一致する。
　
サ　引用発明は、「１フレーム（Ｔｆ）を３つのサブフレーム（色フレーム）に分割し、第１のサブフレーム期間は、重畳期間、赤色の映像信号をＧ１からＧｎまでの走査線上にある画素に書込むＲ書込期間、次いで最終行の液晶が応答するのを待つ液晶応答期間、赤色のバックライトを点灯するＲ点灯期間からなり、第２のサブフレーム期間は緑色、第３のサブフレーム期間は青色であるが、いずれの期間も同様に、重畳期間、書込期間、液晶応答期間、及び点灯期間からなっており」、「サブフレームの重畳期間、書込み期間及び液晶応答期間において、バックライトは消灯し、最終行の液晶の応答を待つ液晶応答期間が完了した後か、あるいは少なくともある程度応答した後に、バックライトを点灯して、各色フレームを表示し、カラー表示を行なう」ものであるので、引用発明は、本願補正発明の「前記映像書込期間には、映像信号電圧を前記液晶表示装置の画素の液晶層に順次印加し、前記映像保持期間には、前記画素の液晶層に印加された電圧を保持する」との特定事項を具備する。
　
シ　上記ア〜サから、本願補正発明と引用発明とは、
「絶縁基板上に複数本のソース信号線と複数本のゲート信号線とが直交して配線され、かつ、前記ソース信号線と前記ゲート信号線の交差部分に対応して画素が形成されたアレイ基板と、対向基板とを有する液晶表示パネルと、
　前記アレイ基板と対向基板間に挟持された液晶層と、
　前記複数本のソース信号線に映像信号を供給するソースドライバー回路と、
　前記複数本のゲート信号線にゲート信号を供給するゲートドライバー回路と、
　前記対向基板の対向電極に正極性のコモン信号電圧と負極性のコモン信号電圧を１フレーム毎に反転させて印加するコモン信号印加回路と、
　前記液晶表示パネルに配されたバックライトと、
　を具備する液晶表示装置において、
　前記液晶表示パネルに対し、前記１フレーム内に黒挿入期間、映像書込み期間、映像保持期間を順番に実現するコントロール回路と、
　前記バックライトを前記黒挿入期間と前記映像書込み期間はオフさせ、前記バックライトを前記映像保持期間はオンさせるバックライトドライブ回路と、
　前記黒挿入期間に印加される黒挿入電圧の絶対値を、前記映像書込み期間の黒色を表示するのに相当する映像信号電圧の絶対値よりも大きな値に設定する黒挿入電圧印加手段と、
　を有し、
　第１の期間と第２の期間が１フレーム毎に繰り返され、
　前記第１の期間には前記正極性のコモン信号電圧が印加され、前記第２の期間には前記負極性のコモン信号電圧が印加され、
　前記第１の期間の黒挿入期間に、前記正極性のコモン電圧が印加され、
　前記第２の期間の黒挿入期間に、前記負極性のコモン電圧が印加され、
　前記黒挿入期間には、前記黒挿入電圧を前記液晶表示装置の画素の液晶層に印加し、
　前記映像書込期間には、映像信号電圧を前記液晶表示装置の画素の液晶層に順次印加し、
　前記映像保持期間には、前記画素の液晶層に印加された電圧を保持する、
液晶表示装置。」である点で一致し、以下の点で相違する。
　
相違点１：
　本願補正発明は、「前記正極性のコモン信号電圧は、第１の正極性のコモン信号電圧と前記第１の正極性のコモン電圧よりも小さい第２の正極性のコモン信号電圧があり、前記負極性のコモン信号電圧は、第１の負極性のコモン信号電圧と前記第１の負極性のコモン信号電圧より小さい第２の負極性のコモン信号電圧があり、前記第１の期間の黒挿入期間に、前記第１の正極性のコモン電圧が印加され、前記第１の期間の映像書込み期間に、前記第２の正極性のコモン電圧が印加され、前記第２の期間の黒挿入期間に、前記第１の負極性のコモン電圧が印加され、前記第２の期間の映像書込み期間に、前記第２の負極性のコモン電圧が印加される」のに対し、引用発明は、「重畳期間と同期して対向電圧Ｖｃｎｔｘを、各色フレームの重畳期間において、書込期間、液晶応答期間、及び点灯期間で一定である電圧と比較して、Ｖａｒ２だけ、１フレーム毎に正方向に増加ないし負の方向に減少させる」点。
　
相違点２：
　本願補正発明は、「前記黒挿入期間には、前記黒挿入電圧」を「順次」「前記液晶表示装置の画素の液晶層に印加」するのに対し、引用発明はそのようなものか明らかでない点。
　
　
（３）判断
　
ア　相違点１について
　引用発明は、「前記重畳期間においては、ＯＣＢ液晶がノーマリホワイト表示としたときには、液晶層に黒電圧Ｖｂ以上の電圧範囲が印加される」ものであるところ、上記（１）イによれば、引用例２には、「対向電極の電位の極性をデータ信号配線のビデオ信号の極性と反対の極性に設定すれば、反対側の画素電極に印加する電圧は、低い電圧でよいことになり、データドライバの耐圧を越えることなく、液晶に高電圧を印加させることができる」という技術的事項が記載されているので、この技術的事項を引用発明に適用して、引用発明の「対向電圧Ｖｃｎｔｘ」の極性を「重畳期間、書込期間、液晶応答期間、及び点灯期間」にわたって、「画素電極の電位Ｖｄｘ」と反対の極性とし、引用発明を本願補正発明の相違点１に係る構成とすることは、当業者が容易になし得たことである。
　
イ　相違点２について
　引用発明は、「重畳期間においては、ゲートドライバ１０２より供給される走査配線Ｇｘ−１に供給される電位に変化Ｖａｒ１を与え、蓄積容量３０を介して、画素電極の電位Ｖｄｘに、ΔＶｄを一定期間重畳すると共に、該重畳期間と同期して対向電圧Ｖｃｎｔｘを、各色フレームの重畳期間において、書込期間、液晶応答期間、及び点灯期間で一定である電圧と比較して、Ｖａｒ２だけ、１フレーム毎に正方向に増加ないし負の方向に減少させることで、液晶層に印加される電圧が、ΔＶｄと対向電圧の変化Ｖａｒ２を加えた分だけ変化し、液晶層に、一定期間以上これ以上の電圧が印加されないとＯＣＢ液晶が逆転移を起こす閾値電圧Ｖｔ以上で、ＯＣＢ液晶がノーマリホワイト表示としたときには、液晶層に黒電圧Ｖｂ以上の電圧範囲が印加される」ものであるところ、上記（１）ア（ア）の段落【００２８】には、引用発明の全走査線をいくつかのブロックに分けて、別々のタイミングで重畳電圧を印加し、これを画素電極に重畳させてもよいことが記載されているので、引用発明において、「走査配線Ｇｘ−１に供給される電位に変化Ｖａｒ１を与える」方法として、「走査配線Ｇｘ−１に供給される電位」に、「順次」、「変化Ｖａｒ１を与え」、引用発明を本願補正発明の相違点２に係る構成とすることは、当業者が容易になし得たことである。
　
　よって、本願補正発明は、引用発明及び引用例１、２に記載された技術的事項に基づいて当業者が容易に発明をすることができたものであるから、特許法第２９条第２項の規定により特許出願の際独立して特許を受けることができない。
　
　
（４）むすび
　以上のとおりであるから、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。　　
　
　
第３　本願発明について
１．本願発明
　平成２１年２月９日付けの手続補正は、上記のとおり却下されたので、本願発明は、平成２０年８月４日付け手続補正書の特許請求の範囲の請求項１〜７に記載された事項により特定されるものであると認められるところ、請求項１に係る発明は次のものである。 
「　絶縁基板上に複数本のソース信号線と複数本のゲート信号線とが直交して配線され、かつ、前記ソース信号線と前記ゲート信号線の交差部分に対応して画素が形成されたアレイ基板と、対向基板とを有する液晶表示パネルと、
　前記アレイ基板と対向基板間に挟持された液晶層と、
　前記複数本のソース信号線に映像信号を供給するソースドライバー回路と、
　前記複数本のゲート信号線にゲート信号を供給するゲートドライバー回路と、
　前記対向基板の対向電極にコモン信号電圧の極性を一定周期毎に反転させて印加するコモン信号印加回路と、
　前記液晶表示パネルに配されたバックライトと、
　を具備する液晶表示装置において、
　前記液晶表示パネルに対し１フレーム内に黒挿入期間、映像書込み期間、映像保持期間を順番に実現するコントロール回路と、
　前記バックライトを前記黒挿入期間と前記映像書込み期間はオフさせ、前記バックライトを前記映像保持期間はオンさせるバックライトドライブ回路と、
　前記黒挿入期間に印加される黒挿入電圧の絶対値を、前記映像書込み期間の黒色を表示するのに相当する映像信号電圧の絶対値よりも大きな値に設定する黒挿入電圧印加手段と、
　を有し、
　前記黒挿入期間には、前記黒挿入電圧を前記液晶表示装置の画素の液晶層に順次印加し、
　前記映像書込期間には、映像信号電圧を前記液晶表示装置の画素の液晶層に順次印加し、
　前記映像保持期間には、前記画素の液晶層に印加された電圧を保持することを特徴とする液晶表示装置。」（以下「本願発明」という。）
 　 
２．引用例・引用発明
　上記第２　３．（１）に記載のとおりのものである。
　
３．対比・判断 
　本願発明は、本願補正発明において、「前記対向基板の対向電極にコモン信号電圧の極性を一定周期毎に反転させて印加するコモン信号印加回路」を「前記対向基板の対向電極に正極性のコモン信号電圧と負極性のコモン信号電圧を１フレーム毎に反転させて印加するコモン信号印加回路」とする限定、及び「第１の期間と第２の期間が１フレーム毎に繰り返され、前記第１の期間には前記正極性のコモン信号電圧が印加され、前記第２の期間には前記負極性のコモン信号電圧が印加され、前記正極性のコモン信号電圧は、第１の正極性のコモン信号電圧と前記第１の正極性のコモン電圧よりも小さい第２の正極性のコモン信号電圧があり、前記負極性のコモン信号電圧は、第１の負極性のコモン信号電圧と前記第１の負極性のコモン信号電圧より小さい第２の負極性のコモン信号電圧があり、前記第１の期間の黒挿入期間に、前記第１の正極性のコモン電圧が印加され、前記第１の期間の映像書込み期間に、前記第２の正極性のコモン電圧が印加され、前記第２の期間の黒挿入期間に、前記第１の負極性のコモン電圧が印加され、前記第２の期間の映像書込み期間に、前記第２の負極性のコモン電圧が印加される」ものとする限定を省いたものである。
　そうすると、上記第２　３．（２）によれば、本願発明と引用発明とは、、前記相違点２において相違するが、上記第２　３．（３）で検討したとおり、本願発明は、引用発明及び引用例１に記載された技術的事項に基づいて当業者が容易に発明をすることができたものといえる。
　
４．むすび 
　したがって、本願発明は、引用発明及び引用例１に記載された技術的事項に基づいて当業者が容易に発明をすることができたものであるから、特許法第２９条第２項の規定により特許を受けることができない。 
　よって、結論のとおり審決する。